(57)【要約】      （修正有）【課題】インテリアをコンパクトに分解できて、組立ても容易にできるようにする。さらに、視覚的な効果も向上させるインテリアを提供する。【解決手段】ホログラムフィルムを貼り付けた透明なホログラム板でリーフ部材１０と枝部材１１を形成する。枝部材１１は、垂直な係合辺と底辺を結ぶ支持辺の上と下にツメを設け、そのツメと係合するスリットをリーフ部材１０の上端と下端に設けて、リーフ部材１０を取り付ける。この枝部材１１の係合辺の上下端の嵌入部を、支柱９の取付け部材に嵌入して取り付けるようにする。このように嵌め合うだけで組み立てられるリーフ部材１０と枝部材１１を支柱９の周囲に複数段設けてツリーを形成し、コンパクトに分解、組立てが容易にできるようにする。また、ＬＥＤストリングス２０を支柱９に取り付け、ホログラムにより視覚効果を高める。【選択図】図１
0003143873.tif 000002
【実用新案登録請求の範囲】
【請求項１】
透明な樹脂板にホログラムフィルムを貼り付けたホログラム板で形成した枝部材と前記ホログラム板で形成したリーフ部材とからなり、
前記枝部材は、垂直な係合辺と底辺を結ぶ支持辺を曲線とし、三日月状に形成するとともに、垂直な係合辺の上端と下端に嵌入部を形成し、かつ、支持辺の上部と下部に係止用のツメを設け、
一方、リーフ部材は、上端と下端の中央に前記枝部材の支持辺のツメを嵌入するスリットあるいは孔を設け、
前記枝部材にリーフ部材をリーフ部材のスリットあるいは孔へ枝部材の支持辺のツメを嵌めて取付け、そのリーフ部材を取り付けた枝部材の垂直な係合辺の上端と下端の嵌入部を、支柱の上下に配置した円板に放射状に溝を設けた取り付け部材の前記溝に嵌入して取付けたインテリア。
【請求項２】
上記枝部材の支持辺とリーフ部材を、上方のもの程小さくして複数段支柱に取り付けた請求項１に記載のインテリア。
【請求項３】
透明な樹脂板にホログラムフィルムを貼り付けたホログラム板を三角形に形成した複数の側部材と、その側部材を放射状に起立させて支持する前記ホログラム板で形成されたホルダー部材とからなり、
前記ホルダー部材は、板面に、ｎ（ｎ≧３）角形を想定し、想定したｎ角形の各辺を側部材の幅に合わせて一方に延長し放射状に形成してスリットを設け、その放射状に形成したそれぞれのスリットに側部材を挿通して角錐形に組み立てたインテリア。
【請求項４】
上記ホルダー部材を上方のもの程小さくして、角錐状の上下方向に間隔を置いて取り付けた請求項３に記載のインテリア。
【請求項５】
上記ホルダー部材をドーナツ状にしてイルミネーション用のランプを取り付けた支柱を立設するようにした請求項３または４に記載のインテリア。
【請求項６】
上記支柱が、複数の透明なパイプ状に形成された支柱部材と前記支柱部材を連結する支柱ジョイントで構成され、
前記支柱ジョイントが放射状の溝を設けたドーナツ形の円板の両側に、前記パイプ状の支柱部材の開口に嵌入する筒状の嵌合部を形成したものとし、
その支柱ジョイントの嵌合部を前記支柱部材の開口に嵌入して支柱部材を連結するようにした請求項１，２、５のいずれかに記載のインテリア。
【請求項７】
上記請求項６の連結された支柱部材を固定する固定パーツが、上記支柱下端の開口部と係合するアンカー部材と、ボルトと、前記ボルトとアンカー部材を繋ぐワイヤーと、支柱先端の開口部と係合し、前記ボルトの軸部を通す挿通孔を有する係合部材と、ナットとで構成され、
アンカー部材とワイヤーで繋がれたボルトを支柱下端の開口から軸を先にして挿通し、挿通した軸を支柱の先端から突出させて係合部材を通し、ナットを取り付けて締め付け、ワイヤーを緊張させて支柱部材を固定するインテリア。
【請求項８】
上記ボルトあるいはワイヤーに複数のＬＥＤランプをイルミネーション用に接続したストリングスを取り付け、支柱内に挿通した請求項７に記載のインテリア。
【請求項９】
上記支柱の外側にＬＥＤのストリングスを取り付けた請求項１、２、６〜８のいずれかに記載のインテリア。
【請求項１０】
上記支柱の外周に軸方向の溝を設け、その溝に係合する嵌入部を有する複数個の脚部材を着脱自在に取り付け、羽根型の脚を形成するようにした請求項１、２、５〜９のいずれかに記載のインテリア。
【請求項１１】
上記インテリアをクリスマスツリーとした請求項１乃至１０のいずれかに記載のインテリア。
【考案の詳細な説明】
【技術分野】
【０００１】
この考案は、組立て、分解が簡単で、光の拡散効果を向上させたツリー状のインテリア、例えばクリスマスツリーに好適なインテリアに関するものである。
【背景技術】
【０００２】
ツリー状のインテリアとして用いられる例えば、（特許文献１）に示す図１４のクリスマスツリーがある。このツリーは、図１４に示すように、透明なアクリル樹脂やステンドグラスで形成した積層部材１ａ〜ｅを重ねたもので、各積層部材１ａ〜ｅは、三角錐台形状（最上部のもの１ｅは三角錐）となっており、上方の物ほど小さくしてある。また、ツリーの内部に複数の光源を連結したイルミネーション用のランプ２を配置する構成となっている。
【特許文献１】特開２００２−１９２８９７号公報
【考案の開示】
【考案が解決しようとする課題】
【０００３】
しかしながら、上記の積層部材を用いたものは、積層部材がアクリル樹脂を三角錐台形状に成型した成型品なので折り畳むことができず、これ以上分解して小さくできない。そのため、下方の大きな積層部材の中に、上方の小さな積層部材を収納することで、仕舞ったり、運んだりしており、大型のものになるほど、嵩張ってしまう問題がある。
【０００４】
また、上記のツリーでは、イルミネーション用のランプを積層部材の内部に配置し、内部のランプが積層部材のアクリル樹脂やステンドグラスを介してイルミネーションするようにしている。そのため、ランプ光の色調をアクリル樹脂やステンドグラスで決まった色に変えるだけの画一的なものとなってしまい、視覚的な効果がいま一歩である。
【０００５】
そこで、この考案の課題は、クリスマスツリーなどのインテリアを仕舞ったり、運んだりするのに便利なようにコンパクトにすること、また、その組立ても容易に行なえるようにすることである。さらに、視覚的な効果も向上させることである。
【課題を解決するための手段】
【０００６】
上記の課題を解決するため、この考案では、透明な樹脂板にホログラムフィルムを貼り付けたホログラム板で形成した枝部材と前記ホログラム板で形成したリーフ部材とからなり、前記枝部材は、垂直な係合辺と底辺を結ぶ支持辺を曲線とし、三日月状に形成するとともに、垂直な係合辺の上端と下端に嵌入部を形成し、かつ、支持辺の上部と下部に係止用のツメを設け、一方、リーフ部材は、上端と下端の中央に前記枝部材の支持辺のツメを嵌入するスリットあるいは孔を設け、前記枝部材にリーフ部材をリーフ部材のスリットあるいは孔へ枝部材の支持辺のツメを嵌めて取付け、そのリーフ部材を取り付けた枝部材の垂直な係合辺の上端と下端の嵌入部を、支柱の上下に配置した円板に放射状に溝を設けた取り付け部材の前記溝に嵌入して取付けた構成を採用したのである。
【０００７】
このような構成を採用したことにより、ホログラム板で形成した枝部材とリーフ部材の二種類の部材でツリーを構成し、ツリーを構成する両部材が共に板状となるようにしたので、薄くコンパクトに分解できる。また、このとき、分解や組立ては、枝部材のツメをリーフ部材のスリットあるいは孔に嵌めたり外したりするだけなので、工具を使わずに簡単にできる。さらに、各部材をホログラム板で構成したことにより、ホログラム板が光を拡散して見る位置によって異なる視覚効果が得られるようにできる。
【０００８】
また、このとき、枝部材の支持辺とリーフ部材を、上方のもの程小さくして複数段支柱に取り付けた構成を採用することができる。
【０００９】
このような構成を採用したことにより、上方が尖鋭な、例えば樅木を模したツリーを構成することができる。
【００１０】
また、透明な樹脂板にホログラムフィルムを貼り付けたホログラム板を三角形に形成した複数の側部材と、その側部材を放射状に起立させて支持する前記ホログラム板で形成されたホルダー部材とからなり、前記ホルダー部材は、板面に、ｎ（ｎ≧３）角形を想定し、想定したｎ角形の各辺を側部材の幅に合わせて一方に延長し放射状に形成してスリットを設け、その放射状に形成したそれぞれのスリットに側部材を挿通して角錐形に組み立てた構成を採用することができる。
【００１１】
このような構成を採用したことにより、ツリーの構成部材を側部材と、その側部材を放射状に起立させて支持するホルダー部材の二種類の板状の部材で構成するようにしたので、薄く、コンパクトに分解できる。また、このとき、分解や組立ては、側部材をホルダー部材のスリットに嵌めたり外したりするだけなので、工具を使わずに簡単にできる。さらに、各部材をホログラム板で構成したことにより、光を拡散して、見る位置によって異なる視覚効果が得られるようにできる。
【００１２】
また、このとき、ホルダー部材を上方のもの程小さくして、角錐状の上下方向に間隔を置いて取り付けた構成を採用することができる。
【００１３】
このような構成を採用したことにより、上方程小さなホルダー部材を取り付け、上方を尖鋭に保持する。こうすることで、例えば樅木を模したツリーを構成することができる。
【００１４】
また、このとき、ホルダー部材をドーナツ状にしてイルミネーション用のランプを取り付けた支柱を立設するようにした構成を採用することができる。
【００１５】
このような構成を採用することにより、ツリーの内部からイルミネーションを行なって、ホログラムを利用して光を拡散する。例えば、側部材を放射状に組み合わせることで、ホログラムによる拡散を複雑にして、光を色々な模様に変化させることができるので、多様な光の効果を得られるようにできる。
【００１６】
また、このとき、支柱が、複数の透明なパイプ状に形成された支柱部材と前記支柱部材を連結する支柱ジョイントで構成され、前記支柱ジョイントが放射状の溝を設けたドーナツ形の円板の両側に、前記パイプ状の支柱部材の開口に嵌入する筒状の嵌合部を形成したものとし、その支柱ジョイントの嵌合部を前記支柱部材の開口に嵌入して支柱部材を連結するようにした構成を採用することができる。
【００１７】
このような構成を採用することにより、支柱を複数の支柱部材と支柱ジョイントに分解してコンパクトにできる。その際、支柱の分解や組立ても支柱部材と支柱ジョイントを嵌めたり外したりすることで工具を使わずに簡単にできる。さらに、支柱部材を透明にすることで、ホログラム板で形成された板部材、リーフ部材、あるいは側部材、ホルダー部材と同化させて支柱のみが目立つことが無いようにしてツリー全体の視覚効果を上げる。
【００１８】
また、連結された支柱部材を固定する固定パーツが、上記支柱下端の開口部と係合するアンカー部材と、ボルトと、前記ボルトとアンカー部材を繋ぐワイヤーと、支柱先端の開口部と係合し、前記ボルトの軸部を通す挿通孔を有する係合部材と、ナットとで構成され、アンカー部材とワイヤーで繋がれたボルトを支柱下端の開口から軸を先にして挿通し、挿通した軸を支柱の先端から突出させて係合部材を通し、ナットを取り付けて締め付け、ワイヤーを緊張させて支柱部材を固定する構成を採用することができる。
【００１９】
このような構成を採用することにより、固定パーツは、支柱の開口部と係合するアンカー部材や係合部材及び支柱内を挿通するボルトやワイヤーなど小型の部材で構成しているので、コンパクトである。また、支柱の長さが変わってもワイヤーの長さを変えるだけで対応できるのでコンパクトにできる。さらに、支柱への装着は、支柱にボルトを挿通してナットを、例えば、指で回して止めるだけでも可能なので、別段工具を使用しなくても簡単にできる。同じく、支柱からの取外は、ナットを指で緩めてボルトを引き出せば良いので、工具を使用しなくても簡単にできる。
【００２０】
また、このとき、ボルトあるいはワイヤーに複数のＬＥＤランプをイルミネーション用に接続したストリングスを取り付け、支柱内に挿通した構成を採用することができる。
【００２１】
このような構成を採用することにより、ボルトを支柱内に挿通すると、挿通と同時に、ＬＥＤストリングスを支柱内に配置できる。このように配置されたＬＥＤストリングスは、透明な支柱部材を介して点灯することで、支柱全体を光らせる視覚効果を発揮する。
【００２２】
また、このとき、支柱の外側にＬＥＤのストリングスを取り付けた構成を採用することができる。
【００２３】
このような構成を採用することにより、ホログラムを利用してイルミネーション用のＬＥＤの光を拡散することができる。この拡散効果は、光源とホログラム板の距離が短いほど小さく、長くなるにつれて大きくなる。また、ホログラム板を使用したリーフ部材や枝部材あるいは側部材とホルダー部材を組み合わせたことにより、拡散が複雑になり、色々な模様に変化させることができるので、多様な光の効果を得ることができる。
【００２４】
また、このとき、支柱の外周に軸方向の溝を設け、その溝に係合する嵌入部を有する複数個の脚部材を着脱自在に取り付け、羽根型の脚を形成するようにした構成を採用することができる。
【００２５】
このような構成を採用することにより、支柱を支える脚も分解してコンパクトにできる。その際、脚の着脱は、支柱の溝に脚部材の嵌入部を嵌めたり外したりすれば良いので、工具を使わすに簡単にできる。
【００２６】
このとき、上記インテリアをクリスマスツリーとした構成を採用することにより、クリスマスツリーとして用いることができる。
【考案の効果】
【００２７】
この考案は、以上のように構成したことにより、インテリアを構成する部材をコンパクトにしたので、分解して運んだり、仕舞ったりする際に、利便性が良い。また、組立ても工具を使わずに容易にできる。さらに、ホログラム板を使用したことにより、視覚的な効果も向上させることができる。
【考案を実施するための最良の形態】
【００２８】
以下、この考案を実施するための最良の形態を図面に基づいて説明する。
【００２９】
図１に本願考案に係るインテリアをクリスマスツリーに適用したものを示す。この形態のクリスマスツリーは、支柱９にリーフ部材１０と枝部材１１を複数段取り付け、ＬＥＤストリングス２０でデコレーションして、例えば、樅木を模した形状となるようにしたものである。
【００３０】
リーフ部材１０と枝部材１１は、ホログラムフィルム（例えば、クロススターフィルム）と透明なプラスチック板を貼り合わせた透過型拡散ホログラム板で形成されている。
【００３１】
リーフ部材１０は、この形態では、図２（ａ）のように、ホログラム板の下方を膨らませた形状に型抜きして洋ナシ形としたもので、上端と下端の中央部分に端面から内側に向けて長孔１２ａとスリット１２ｂを形成したものである。前記長孔１２ａとスリット１２ｂは、後述する枝部材１０のツメ１３ａ、ｂを嵌入するためのものである。
【００３２】
なお、この形態では、リーフ部材１０に長孔１２ａとスリット１２ｂを設けたため、リーフ部材１０を曲げてツメ１３ａ、ｂを嵌入しなければならないが、ツメ１３ａ、ｂを外れ難くできるメリットがある。因みに、長孔１２ａに替えてスリットにすることもできるが、スリットとすると取り付けや取り外しは容易になるが、長孔１２ａに比べて外れやすい。また、リーフ部材１０の形状は洋ナシ形に限定されるものではない。取付け構造が同じであれば、形状に限定されるものではない。
【００３３】
枝部材１１は、前記ホログラム板を、図２（ｂ）に示すように、垂直な係合辺１４と底辺１５を結ぶ支持辺１６を曲線とし、三日月状に型抜きしたものである。この垂直な係合辺１４の上端と下端には、嵌入部１７を形成してある。前記嵌入部１７は、係合辺１４を少しだけ延長して、先端を丸い舌片状にしたもので、後述のように、支柱部材９ａを連結する上下の支柱ジョイント１８の円板１８ａに嵌入できるようにしてある。
【００３４】
また、枝部材１１の支持辺１６の上部と下部には、前述の係止用のツメ１３ａ、ｂが設けてある。この上部のツメ１３ａは、フックの開口を支持辺１６の下端向きに開放した形状としてある。一方、下部のツメ１３ｂは、支持辺１６の下端を折り曲げてフックの開口を上端向きに形成した形状となっており、図３のように、前記フック１３ａ、１３ｂでリーフ部材１０を受け止めて支持できるようにしてある。
【００３５】
このリーフ部材１０と枝部材１１は、後述するように、寸法の異なったもの（枝部材１１の場合は支持辺１６の長さの異なったもの）を複数個準備して、ツリーの上方に取り付けるもの程寸法を小さくしたものを、支柱９の周囲に複数段取り付けるようにする。
【００３６】
支柱９は、図４に示すように、複数の支柱部材９ａと前記支柱部材９ａを連結する支柱ジョイント１８とで構成されており、固定パーツ２１で固定（留める）し、図５のように、脚部材２９を取り付ける構造となっている。
【００３７】
支柱部材９ａは、例えばアクリルなどの透明な樹脂で形成したパイプ状のもので、この形態の開口（挿通孔）９ｃは、八角形となっている。一方、この支柱部材９ａの外周には、図６（ａ）のように、軸方向に形成された溝９ｂが、この形態の場合、７本設けられている。また、各溝９ｂは、溝９ｂの上部よりも下部（奥）の方を広くした台形状の断面に形成して、後述のように嵌入した脚部材２９を抜け難くしてある。
【００３８】
支柱ジョイント１８は、図６（ａ）に示すように、中央に孔を設けたドーナツ形の円板１８ａに放射状に溝１９を設け、その溝１９を設けた円板１８ａの両側に筒状（八角筒）の嵌合部１８ｂを設けたもので、前記嵌合部１８ｂを支柱部材９ａの開口９ｃに嵌入することで、支柱部材９ａ同士を連結する。その際、前記嵌合部１８ｂの周囲に突部１８ｄを設けて前記開口と係合するようにしてある。また、嵌合部１８ｂの端部には、２個所の切欠１８ｅを対向して設け、後述のように、固定パーツ２１を取り付けるようになっている。
【００３９】
固定パーツ２１は、図４に示すように、アンカー部材２２、ボルト（ここでは、アイボルト）２３、ワイヤー２４、係合部材２５、ナット（ここでは、蝶ネジ）２６で構成されている。アンカー部材２２は、図６（ｂ）、（ｃ）に示すような釣鐘形の断面形状をしたもので、図４のように、中央部分にワイヤー２４を掛け、アイボルト２３に繋ぐ。アイボルト２３は、軸の下方にリングを設けたもので、前記リングにワイヤー２４を繋ぐ。係合部材２５は、図４のように、円筒の両側に突起２７を設けた形状となっており、前記突起２７は、支柱ジョイント１８の嵌合部１８ｂに嵌合するように形成されている。すなわち、嵌合すると、円筒の左右の突起２７が前記嵌合部１８ｂの切欠１８ｅに嵌まり抜け落ちを防止し、かつ、回り止めとして働く。
【００４０】
このように、ワイヤー２４を接続したアイボルト２３は、図４のように、アイボルト２３の軸を先にして支柱９の下端の開口９ｃから挿通し、挿通したアイボルト２３の軸を支柱９の先端（支柱ジョイント１８）から突出させる。次に、突出した軸を係合部材２５に通し、場合によってはワッシャ（図示せず）を介して蝶ネジ２６を取り付ける。そして、取り付けた蝶ネジ２６を締め付け、ワイヤー２４を緊張させる。すると、アンカー部材２２が開口９ｃと係合し、支柱部材９ａに圧縮力を加えて固定する。その状態を図１０に示す。
【００４１】
なお、図５及び図９の符号２８のビーズバンドは、支柱ジョイント１８の切欠１８ｅにビーズを引っ掛けることで、係合部材２５を通すまでの間にアイボルト２３が抜け落ちるのを防止するためのものである。
【００４２】
一方、支柱９には、先述したように、支柱部材９ａの外周の溝９ｂに脚部材２９を取り付けるようになっている。脚部材２９は、前記溝９ｂの断面と同じ形状（この場合、台形）に形成した嵌入部２９ａを有する概三角形状のもので、図５のように、支柱部材９ａの外周の溝９ｂに嵌入することで羽根（プロペラ）型の脚を形成するようにしてある。また、脚部材２９は、矢印と逆方向にスライドさせないと外れないようにしてある。この支柱９には、ホログラム板でカバーしたベース板４０を取り付けて立設する。
【００４３】
ＬＥＤストリングス２０、２０´は、図７（ａ）、（ｂ）に示すように、複数のＬＥＤ２０ａを連結して、両端にコネクタ２０ｂを設けたイルミネーション用のもので、必要な長さに接続して使用するものである。ここで、図７（ａ）は、ＬＥＤ２０ａとメインのストリングス（配線）との接続を長くして支柱９の外周に巻き付けられるようにした外巻き用のストリングス２０´である。一方、図７（ｂ）は、ＬＥＤ２０ａとメインのストリング（配線）との接続を短くして支柱９の内部に挿通し易くした挿通用のストリングス２０である。この挿通は、図４のように、アイボルト２３を支柱９に挿通する際に、ワイヤー２４あるいはアイボルト２３に前記ストリングス２０を取り付けて挿通すれば簡単にできる。このとき、前記挿通用のストリングス２０は、直列に接続したＬＥＤランプをチューブなどに入れたものであっても良い。このように、ＬＥＤ２０ａを使用すれば、省エネと発熱による部材への影響を少なくすることができる。
【００４４】
この形態は、上記のように構成されており、このツリーは、リーフ部材１０、枝部材１１、支柱９、イルミネーション用のＬＥＤストリングス２０、２０´などの部材に分解することができる。また、支柱９は、支柱部材９ａと支柱ジョイント１８に分解することができる。このとき、固定パーツ２１は、支柱９の開口９ｃと係合するアンカー部材２２やアイボルト２３などの小型のパーツで構成しており、また支柱９の長さが変わってもワイヤー２４の長さを変えるだけで対応できるので、コンパクトで嵩張らない。しかも、分解したリーフ部材１０と枝部材１１は、共に板状なので、薄くコンパクトになる。そのため、分解した状態で販売したり、分解したりした状態で簡単に仕舞うことができる。さらに、脚部材２９も支柱９から取外せば分解できるので、コンパクトにできる。なお、いずれのものも別段工具を使わず分解や組立てが簡単にできる。
【００４５】
このクリスマスツリーの組み立ては、支柱９を組立て、その支柱９に例えば、枝部材１１にリーフ部材１０を取り付け、そのリーフ部材１０を取り付けた枝部材１１を取り付けたり、あるいは、支柱９に枝部材１１を取り付けて、その支柱９に取り付けた枝部材１１にリーフ部材１０を取り付けたりできる。取り付ける順番は、どちらでも構わない。ここでは、リーフ部材１０を取り付けた枝部材１１を支柱９に取り付ける場合について述べる。
【００４６】
すなわち、リーフ部材１０の枝部材１１への取り付けは、図３のように、枝部材１１の支持辺１６のツメ１３ａ、ｂに、リーフ部材１０のスリット１２ａ、ｂを嵌入して取り付ける。リーフ部材１０を取り付けた枝部材１１は、大きさごとに分けておく。また、支柱９は、支柱部材９ａに分解されているので、図５及び図８のように、支柱ジョイント１８を使って連結し、脚部材２９を取り付け、図９のように固定パーツ２１で固定する。このとき、支柱９の内部へのＬＥＤストリングス２０の挿通を行なったのち、ベース板４０を取り付けて立設する。また、立設した支柱９には、外巻き用のストリングス２０´を支柱９に巻きつけて、リーフ部材１０の内側になるように取り付ける。
【００４７】
このように、ストリングスを取り付けた支柱９に、リーフ部材１０を取り付けた枝部材１１を複数段取り付ける。このとき、その段数に合わせて支柱ジョイント１８が、取り付けてある筈なので、前記ジョイント１８の円板１８ａに枝部材（リーフ部材１０を取り付けた）１１を取り付ける（当然、円板１８ａの上段と下段の溝９ｂの位置は合致するようにしておく）。この取り付けは、段ごとに、大きさを選択したリーフ部材１０を取り付けた枝部材１１の垂直な係合辺１４の上端と下端の嵌入部１７を上下に配置した支柱ジョイント１８の円板１８ａの溝１９に、図１０のように、一つ置きに嵌める。このようにすると、図１のように、隣同士のリーフ部材１０が重ならず、上段のリーフ部材１０と下段のリーフ部材１０とが互い違いに配置される。このため、上段のリーフ部材１０の間に穴（隙間）を生じるが、この穴の部分は下段のリーフ部材１０がカバーすることになり、穴が連続して開かないようにしてある。
【００４８】
完成したツリーは、イルミネーション用のＬＥＤストリングス２０を点灯あるいは点滅させると、枝部材１１で反射や拡散した光をリーフ部材１０が、さらに拡散や反射して光の模様を色々に変化させ、多様な効果を発揮するのである。
【００４９】
使用後のツリーは、組み立てた時と逆の手順で取外せば、簡単に薄くコンパクトな部材に分解できる。
【００５０】
このように、クリスマスツリーを構成する部材を薄く、コンパクトにできるので、運んだり、仕舞ったりが容易にできる。また、組立ても部材を嵌めるだけなので、容易にできる。さらに、多様な視覚的な効果も発揮させることができる。
【実施例１】
【００５１】
この実施例１は、この考案に係るインテリアをクリスマスツリーに適用した他の態様を示すもので、図１１のように、同じ大きさに形成された８枚の側部材３０ａ〜ｈと、その側部材３０ａ〜ｈを起立させて支持する４枚のホルダー部材３１ａ〜ｄとで構成され、上部に円板状のジョイント部材として実施形態の支柱ジョイント１８を取り付けた構成となっている。また、このツリーは自立できるが、この実施例１では、ツリー内部に実施形態で述べた支柱９を配置し、その支柱９にＬＥＤストリングス（実施形態と同じもの）２０、２０´を挿通したり、巻き付けたりしてツリー内部からイルミネーションを行なう構成としてある。
【００５２】
側部材３０ａ〜ｈは、透明な樹脂板にホログラムフィルムを貼り付けた透過型拡散ホログラム板を二等辺三角形（先端はカットしてある）に形成したもので、三角形の頂点には、図１３に示すように、孔３４が設けてあって、ツリーの頂点に被せる支柱ジョイント１８に係止するようになっている。
【００５３】
ホルダー部材３１ａ〜ｄは、前記側部材３０ａ〜ｈと同じ透明な樹脂にホログラムフィルムを貼り付けたホログラム板を使用したもので、この実施例１のものでは、図１２のように８個の頂点を有する星形を模したドーナツ板に形成してある。そして、そのドーナツ板に側部材３０ａ〜ｈを挿通するスリット３５を設けたものである。また、４枚のホルダー部材は、それぞれ、側部材３０ａ〜ｈに嵌める位置に合わせて大きさを違えてあって、上方のものほど小型となるようにしてある。
【００５４】
ここで、前記ホルダー部材３１ａ〜ｄに設けたスリット３５について説明すると、スリット３５は、板面に、ｎ（ｎ≧３）角形を想定し、その想定したｎ角形の各辺を側部材３０ａ〜ｈの幅に合わせて一方に延長したもので、ここでは、図１２のように、８角形（一点鎖線で示す）を想定し、放射状にスリット３５を形成してある。
【００５５】
支柱ジョイント１８は、先にも述べたように円板状のジョイント部材として、図６（ａ）の支柱ジョイント１８を使用したもので、ここでは、図１３のように、１６個の孔３７が設けられたものを使用している。また、周囲の孔３７は、フック状の金具またはゴム製のＯリングを嵌めるためのもので、前記金具を前述した側部材３０ａ〜ｈの頂点の孔３４に係合させることで、側部材３０ａ〜ｈの先端が散けるのを防止する。
【００５６】
支柱９は、先にも述べたとおり、実施形態で述べた図９のものと同じ、支柱部材９ａ、支柱ジョイント１８、固定パーツ２１、脚部材２９で構成されるもので、ＬＥＤストリングス（挿通用）２０を挿通し、ツリー内部に収容できる大きさにしてある。また、支柱４１にはホログラムのベース板４０を取り付け、外巻き用のストリングス２０´を、例えば、螺旋状に巻き付けた状態となっている。
【００５７】
この実施例１は、上記のように構成されており、このツリーは、側部材３０ａ〜ｈとホルダー部材３１ａ〜ｄに分解できる。分解した両部材３０ａ〜ｈ、３１ａ〜ｄは、板状なので、薄くコンパクトにできる。そのため、その状態で販売したり、その状態でシーズンオフに仕舞ったりすることが容易にできる。また、支柱９とベース板４０を分離し、分離した支柱９は、支柱部材９ａ、支柱ジョイント１８と脚部材２９に分離できる。また、支柱部材９ａを固定する固定パーツもアンカー部材やアイボルトなどの小型のパーツで構成しているので嵩張らない。
【００５８】
一方、このクリスマスツリーの組み立ては、最下段のホルダー部材３１ｄのスリット３５に側部材３０ａ〜ｈを順に嵌入する。その際、側部材３０ａ〜ｈのホルダー部材３１ｄのスリット３５への嵌入は、例えば、ホルダー部材３１ｄのスリット３５に側部材３０ａ〜ｈを先端側から嵌めれば、側部材３０ａ〜ｈの幅とスリット３５の長さとが一致したところでストップするので、その位置まで嵌入する。このようにしてホルダー部材３１ｄの全てのスリット３５に側部材３０ａ〜ｈを嵌めると、ツリーを立てることができるので、ツリーを立てた状態で次段のホルダー部材３１ｃ〜ａを順次側部材の先端側から嵌入して取り付ける。
【００５９】
全てのホルダー部材３１ａ〜ｄの嵌入が終わると、支柱９を組み立てる。支柱９は、支柱部材９ａに分解されているので、支柱ジョイント１８を使って連結し、固定パーツで固定する。このとき、支柱９の内部へのＬＥＤストリングス２０の挿通を行なったのち、脚部材を取り付け、ベース板を取り付けて立設する。また、立設した支柱９には、外巻き用のストリングス２０´を支柱９に巻きつけて取り付ける。そして、組立てた支柱９にツリーを（ホルダー部材３１ａ〜ｄの孔を介して）被せれば組み立ての完了である。
【００６０】
完成したツリーは、ＬＥＤストリングス２０、２０´を点灯あるいは点滅すると、点灯あるいは点滅したＬＥＤストリングス２０、２０´の光が、放射状に配置した側部材３０ａ〜ｈのホログラム板の間で、複雑に乱反射や拡散を繰り返し、光の模様を色々に変化させ、多様な効果を発揮する。
【００６１】
使用後のツリーは、組み立てた時と逆の手順で側部材３０ａ〜ｈからホルダー部材３１ａ〜ｄを外して分解する。同時に、支柱９も組立てたときと逆の手順で分解すれば、簡単にコンパクトにできる。
【００６２】
このように、クリスマスツリーを構成する部材を薄くコンパクトにできるので、運んだり、しまったりするのに便利である。また、組立ても側部材３０ａ〜ｈにホルダー部材を嵌めるだけなので、誰でも簡単に組み立てたり、分解したりできる。さらに、視覚的な効果も向上させることができる。
【００６３】
なお、本実施形態および実施例１では、本願考案をクリスマスツリーに適用したものについて述べたが、これに限定されるものではない。例えば、ツリー状のスタンドなどのインテリアに適用可能であることは明白である。
【図面の簡単な説明】
【００６４】
【図１】実施形態の斜視図
【図２】（ａ）リーフ部材の正面図、（ｂ）枝部材の側面図
【図３】実施形態の要部の斜視図
【図４】実施形態の作用説明図
【図５】実施形態の作用説明図
【図６】（ａ）実施形態の要部の斜視図、（ｂ）要部の斜視図、（ｃ）（ｂ）の断面図
【図７】（ａ）、（ｂ）ＬＥＤストリングスの配線図
【図８】実施形態の作用説明図
【図９】実施形態の作用説明図
【図１０】実施形態の作用説明図
【図１１】実施例１の斜視図
【図１２】実施例１の作用説明図
【図１３】実施例１の要部の斜視図
【図１４】従来例の斜視図
【符号の説明】
【００６５】
９  支柱
９ａ  支柱部材
９ｂ  溝
９ｃ  開口
１０  リーフ部材
１１  枝部材
１２ａ、ｂ  スリット
１３ａ、ｂ  ツメ
１４  係合辺
１５  底辺
１６  支持辺
１７  嵌入部
１８  支柱ジョイント
１８ａ  円板
１８ｂ  嵌合部
１８ｅ  切欠
１９  溝
２０  ＬＥＤストリングス
２１  固定パーツ
２２  アンカー部材
２３  アイボルト
２４  ワイヤー
２５  係合部材
２６  ナット
２７  突起
２８  ビーズバンド
２９  脚部材
３０  側部材
３１  ホルダー部材
３２  キャップ部材
３４  孔
３５  スリット
３６  突起
３７  孔
４０  ベース板
４１  支柱
【図１】
0003143873.tif 000003
【図２】
0003143873.tif 000004
【図３】
0003143873.tif 000005
【図４】
0003143873.tif 000006
【図５】
0003143873.tif 000007
【図６】
0003143873.tif 000008
【図７】
0003143873.tif 000009
【図８】
0003143873.tif 000010
【図９】
0003143873.tif 000011
【図１０】
0003143873.tif 000012
【図１１】
0003143873.tif 000013
【図１２】
0003143873.tif 000014
【図１３】
0003143873.tif 000015
【図１４】
0003143873.tif 000016